(57)【要約】【課題】申請者からのＩＤカードの発行申請を受け付ける受付装置と、当該申請者のＩＤカードを作成する作成装置と、を備えるＩＤカード発行システムにおいて、確実且つ低コストに本人確認を行う。【解決手段】作成装置３に、申請者が提出した証明写真から生体認証情報を抽出する証明写真画像撮影部３２及び抽出プログラム３５３ｂを実行したＣＰＵ３５１と、暗号化生体認証情報プリント部により申請書に出力された生体認証情報と、当該抽出された生体認証情報と、が略一致するか否かを判定する第１判定プログラム３５３ｄを実行したＣＰＵ３５１と、第１判定プログラム３５３ｄを実行したＣＰＵ３５１により略一致すると判定された場合に、申請者のＩＤカードを作成するＩＤカード作成部３３と、を備えるよう構成したことを特徴とするＩＤカード発行システム。【選択図】図３
2007293681.tif 000002
【特許請求の範囲】
【請求項１】
申請者からの申請書及び証明写真の提出によってＩＤカードの発行申請を受け付ける受付装置と、当該受付装置により受け付けられた申請者からのＩＤカードの発行申請に従って当該申請者のＩＤカードを作成する作成装置と、を備えるＩＤカード発行システムにおいて、
前記受付装置は、
前記申請者の生体認証情報を取得する取得手段と、
前記取得手段により取得された生体認証情報を、前記申請書に出力する出力手段と、
を備え、
前記作成装置は、
前記証明写真から生体認証情報を抽出する抽出手段と、
前記出力手段により申請書に出力された生体認証情報と、前記抽出手段により抽出された生体認証情報と、が略一致するか否かを判定する判定手段と、
前記判定手段によって、前記出力手段により申請書に出力された生体認証情報と、前記抽出手段により抽出された生体認証情報と、が略一致すると判定された場合に、前記申請者のＩＤカードを作成する作成手段と、
を備えることを特徴とするＩＤカード発行システム。
【請求項２】
請求項１に記載のＩＤカード発行システムにおいて、
前記受付装置は、前記取得手段により取得された生体認証情報を暗号化する暗号化手段を備え、
前記出力手段は、前記暗号化手段により暗号化された暗号化生体認証情報を、前記申請書に出力し、
前記作成装置は、前記出力手段により申請書に出力された暗号化生体認証情報を解読する解読手段を備え、
前記判定手段は、前記解読手段により解読された生体認証情報と、前記抽出手段により抽出された生体認証情報と、が略一致するか否かを判定することを特徴とするＩＤカード発行システム。
【請求項３】
請求項１に記載のＩＤカード発行システムにおいて、
前記申請書には、当該申請書を提出した申請者を識別するための識別情報が記入されており、
当該ＩＤカード発行システムは、前記識別情報と、当該識別情報によって識別される申請者の生体認証情報と、を対応付けて記憶する記憶手段を備え、
前記作成装置は、前記記憶手段から、前記出力手段により生体認証情報が出力された申請書に記入された識別情報に対応する生体認証情報を検索する検索手段を備え、
前記判定手段は、前記出力手段により申請書に出力された生体認証情報と、前記抽出手段により抽出された生体認証情報と、前記検索手段により検索された生体認証情報と、が略一致するか否かを判定することを特徴とするＩＤカード発行システム。
【請求項４】
請求項３に記載のＩＤカード発行システムにおいて、
前記受付装置は、前記取得手段により取得された生体認証情報を暗号化する暗号化手段を備え、
前記出力手段は、前記暗号化手段により暗号化された暗号化生体認証情報を、前記申請書に出力し、
前記作成装置は、前記出力手段により申請書に出力された暗号化生体認証情報を解読する解読手段を備え、
前記判定手段は、前記解読手段により解読された生体認証情報と、前記抽出手段により抽出された生体認証情報と、前記検索手段により検索された生体認証情報と、が略一致するか否かを判定することを特徴とするＩＤカード発行システム。
【請求項５】
申請者からの申請書の提出によってＩＤカードの発行申請を受け付ける受付装置と、当該受付装置により受け付けられた申請者からのＩＤカードの発行申請に従って当該申請者のＩＤカードを作成する作成装置と、を備えるＩＤカード発行システムにおいて、
前記申請書には、当該申請書を提出した申請者を識別するための識別情報が記入されており、
当該ＩＤカード発行システムは、前記識別情報と、当該識別情報によって識別される申請者の生体認証情報と、を対応付けて記憶する記憶手段を備え、
前記受付装置は、
前記申請者の生体認証情報を取得する取得手段と、
前記取得手段により取得された生体認証情報を、前記申請書に出力する出力手段と、
を備え、
前記作成装置は、
前記記憶手段から、前記出力手段により生体認証情報が出力された申請書に記入された識別情報に対応する生体認証情報を検索する検索手段と、
前記出力手段により申請書に出力された生体認証情報と、前記検索手段により検索された生体認証情報と、が略一致するか否かを判定する判定手段と、
前記判定手段によって、前記出力手段により申請書に出力された生体認証情報と、前記検索手段により検索された生体認証情報と、が略一致すると判定された場合に、前記申請者のＩＤカードを作成する作成手段と、
を備えることを特徴とするＩＤカード発行システム。
【請求項６】
請求項５に記載のＩＤカード発行システムにおいて、
前記受付装置は、前記取得手段により取得された生体認証情報を暗号化する暗号化手段を備え、
前記出力手段は、前記暗号化手段により暗号化された暗号化生体認証情報を、前記申請書に出力し、
前記作成装置は、前記出力手段により申請書に出力された暗号化生体認証情報を解読する解読手段を備え、
前記判定手段は、前記解読手段により解読された生体認証情報と、前記検索手段により検索された生体認証情報と、が略一致するか否かを判定することを特徴とするＩＤカード発行システム。
【請求項７】
請求項２、４又は６に記載のＩＤカード発行システムにおいて、
前記暗号化手段は、所定の第１鍵を使用して、前記生体認証情報を暗号化し、
前記解読手段は、前記所定の第１鍵に対応する所定の第２鍵を使用して、前記暗号化生体認証情報を解読することを特徴とするＩＤカード発行システム。
【請求項８】
申請者からの申請書及び証明写真の提出によってＩＤカードの発行申請を受け付ける受付装置と、当該受付装置により受け付けられた申請者からのＩＤカードの発行申請に従って当該申請者のＩＤカードを作成する作成装置と、を備えるＩＤカード発行システムにおいて、
前記申請書には、当該申請書を提出した申請者を識別するための識別情報が記入されており、
当該ＩＤカード発行システムは、前記識別情報と、当該識別情報によって識別される申請者の生体認証情報と、を対応付けて記憶する記憶手段を備え、
前記作成装置は、
前記証明写真から生体認証情報を抽出する抽出手段と、
前記記憶手段から、前記申請書に記入された識別情報に対応する生体認証情報を検索する検索手段と、
前記抽出手段により抽出された生体認証情報と、前記検索手段により検索された生体認証情報と、が略一致するか否かを判定する判定手段と、
前記判定手段によって、前記抽出手段により抽出された生体認証情報と、前記検索手段により検索された生体認証情報と、が略一致すると判定された場合に、前記申請者のＩＤカードを作成する作成手段と、
を備えることを特徴とするＩＤカード発行システム。
【請求項９】
請求項１〜８の何れか一項に記載のＩＤカード発行システムにおいて、
前記作成手段により作成された前記申請者のＩＤカードには、当該申請者の生体認証情報を含むＩＤカード情報が記憶されており、
当該ＩＤカード発行システムは、前記作成装置により作成されたＩＤカードを前記申請者に交付する交付装置を備え、
前記交付装置は、
前記申請者の生体認証情報を取得する第２取得手段と、
前記作成手段により作成されたＩＤカードに記憶された生体認証情報を読み出す読出手段と、
前記第２取得手段により取得された生体認証情報と、前記読出手段により読み出された生体認証情報と、が略一致するか否かを判定する第２判定手段と、
前記第２判定手段による判定結果を出力する判定結果出力手段と、
を備えることを特徴とするＩＤカード発行システム。
【請求項１０】
請求項１〜９の何れか一項に記載のＩＤカード発行システムにおいて、
前記受付装置及び／又は前記作成装置がオフラインであることを特徴とするＩＤカード発行システム。
【請求項１１】
請求項１に記載のＩＤカード発行システムにおけるＩＤカード発行方法において、
前記取得手段が、前記申請者の生体認証情報を取得する取得ステップと、
前記出力手段が、前記取得ステップで取得された生体認証情報を、前記申請書に出力する出力ステップと、
前記抽出手段が、前記証明写真から生体認証情報を抽出する抽出ステップと、
前記判定手段が、前記出力ステップで申請書に出力された生体認証情報と、前記抽出ステップで抽出された生体認証情報と、が略一致するか否かを判定する判定ステップと、
前記判定ステップで、前記出力ステップで申請書に出力された生体認証情報と、前記抽出ステップで抽出された生体認証情報と、が略一致すると判定された場合に、前記作成手段が、前記申請者のＩＤカードを作成する作成ステップと、
を備えることを特徴とするＩＤカード発行方法。
【請求項１２】
請求項３に記載のＩＤカード発行システムにおけるＩＤカード発行方法において、
前記取得手段が、前記申請者の生体認証情報を取得する取得ステップと、
前記出力手段が、前記取得ステップで取得された生体認証情報を、前記申請書に出力する出力ステップと、
前記抽出手段が、前記証明写真から生体認証情報を抽出する抽出ステップと、
前記検索手段が、前記記憶手段から、前記出力ステップで生体認証情報が出力された申請書に記入された識別情報に対応する生体認証情報を検索する検索ステップと、
前記判定手段が、前記出力ステップで申請書に出力された生体認証情報と、前記抽出ステップで抽出された生体認証情報と、前記検索ステップで検索された生体認証情報と、が略一致するか否かを判定する判定ステップと、
前記判定ステップで、前記出力ステップで申請書に出力された生体認証情報と、前記抽出ステップで抽出された生体認証情報と、前記検索ステップで検索された生体認証情報と、が略一致すると判定された場合に、前記作成手段が、前記申請者のＩＤカードを作成する作成ステップと、
を備えることを特徴とするＩＤカード発行方法。
【請求項１３】
請求項５に記載のＩＤカード発行システムにおけるＩＤカード発行方法において、
前記取得手段が、前記申請者の生体認証情報を取得する取得ステップと、
前記出力手段が、前記取得ステップで取得された生体認証情報を、前記申請書に出力する出力ステップと、
前記検索手段が、前記記憶手段から、前記出力ステップで生体認証情報が出力された申請書に記入された識別情報に対応する生体認証情報を検索する検索ステップと、
前記判定手段が、前記出力ステップで申請書に出力された生体認証情報と、前記検索ステップで検索された生体認証情報と、が略一致するか否かを判定する判定ステップと、
前記判定ステップで、前記出力ステップで申請書に出力された生体認証情報と、前記検索ステップで検索された生体認証情報と、が略一致すると判定された場合に、前記作成手段が、前記申請者のＩＤカードを作成する作成ステップと、
を備えることを特徴とするＩＤカード発行方法。
【請求項１４】
請求項８に記載のＩＤカード発行システムにおけるＩＤカード発行方法において、
前記抽出手段が、前記証明写真から生体認証情報を抽出する抽出ステップと、
前記検索手段が、前記記憶手段から、前記申請書に記入された識別情報に対応する生体認証情報を検索する検索ステップと、
前記判定手段が、前記抽出ステップで抽出された生体認証情報と、前記検索ステップで検索された生体認証情報と、が略一致するか否かを判定する判定ステップと、
前記判定ステップで、前記抽出ステップで抽出された生体認証情報と、前記検索ステップで検索された生体認証情報と、が略一致すると判定された場合に、前記作成手段が、前記申請者のＩＤカードを作成する作成ステップと、
を備えることを特徴とするＩＤカード発行方法。
【発明の詳細な説明】
【技術分野】
【０００１】
本発明は、ＩＤカード発行システム及びＩＤカード発行方法に関する。
【背景技術】
【０００２】
従来、運転免許証等のＩＤカードにおいては、例えば、ＩＤカードの発行申請の受付時等に、発行申請を行った申請者の顔と、当該申請者が提出したＩＤカードに複写される証明写真の顔とを、オペレータが目視で比較することによって、申請者の本人確認を行っているため、高い認証精度を実現するのが困難であるという問題があった。
【０００３】
そこで、生体認証情報に基づいて本人確認を行うことができるＩＤカード発行装置が提案された（例えば、特許文献１参照）。
具体的には、特許文献１のＩＤカード発行装置においては、ＩＤカードの発行申請の受付時等に取得された申請者の生体認証情報と、申請者の顔を撮影することによって得た証明写真画像から抽出した生体認証情報とを比較することによって、本人確認を行い、本人と認証した場合に、ＩＤカードを作成して発行するようになっている。
【特許文献１】特開２００５−１１５８４４号公報
【発明の開示】
【発明が解決しようとする課題】
【０００４】
しかしながら、申請者が提出した証明写真を複写したＩＤカードを作成する場合には、ＩＤカード発行装置では証明写真を撮影しないため、特許文献１のような本人確認を行うことができない。
【０００５】
また、ＩＤカードは、ＩＤカードの発行申請を受け付ける受付装置と、ＩＤカードを作成する作成装置と、などから構成されるＩＤカード発行システムによって発行される場合もある。
この場合、受付装置と作成装置とが異なる場所に設置されていることが多く、さらに、受付装置と作成装置とがオンラインで繋がっていないことも多い。
したがって、この場合、受付装置が設置された場所から作成装置が設置された場所に、申請者が提出した申請書や証明写真が郵送され、この郵送された申請書や証明写真に基づいて、作成装置においてＩＤカードが作成されるようになっている。
【０００６】
この場合、例えば、特許文献１のＩＤカード発行装置を応用して、受付装置において、発行申請の受付時に申請者から取得した生体認証情報と、提出された証明写真を撮影して得た証明写真画像から抽出した生体認証情報とを比較することによって、本人確認を行い、本人と認証された場合に、作成装置に申請書や証明写真を郵送すればよいが、本人確認を行った後（例えば、郵送時）に、証明写真がすり替えられてしまう可能性がある。
【０００７】
そこで、例えば、受付装置において、発行申請の受付時に申請者から生体認証情報を取得し、作成装置において、当該取得された生体認証情報と、郵送された証明写真を撮影して得た証明写真画像から抽出した生体認証情報とを比較することによって、本人確認を行う方法が考えられる。
しかしながら、作成装置が、受付装置において取得された生体認証情報を入手するためには、当該取得された生体認証情報を、受付装置と作成装置とをオンラインで繋ぐ必要があるが、そうなると、通信回線を配備しなければならず、また、この通信回線をセキュリティーに配慮したものにしなければならないため、多大なコストがかかる。
【０００８】
本発明の課題は、申請者からのＩＤカードの発行申請を受け付ける受付装置と、当該申請者のＩＤカードを作成する作成装置と、を備えるＩＤカード発行システムにおいて、確実且つ低コストに本人確認を行うことにある。
【課題を解決するための手段】
【０００９】
上記課題を解決するために、請求項１に記載の発明は、
申請者からの申請書及び証明写真の提出によってＩＤカードの発行申請を受け付ける受付装置と、当該受付装置により受け付けられた申請者からのＩＤカードの発行申請に従って当該申請者のＩＤカードを作成する作成装置と、を備えるＩＤカード発行システムにおいて、
前記受付装置は、
前記申請者の生体認証情報を取得する取得手段と、
前記取得手段により取得された生体認証情報を、前記申請書に出力する出力手段と、
を備え、
前記作成装置は、
前記証明写真から生体認証情報を抽出する抽出手段と、
前記出力手段により申請書に出力された生体認証情報と、前記抽出手段により抽出された生体認証情報と、が略一致するか否かを判定する判定手段と、
前記判定手段によって、前記出力手段により申請書に出力された生体認証情報と、前記抽出手段により抽出された生体認証情報と、が略一致すると判定された場合に、前記申請者のＩＤカードを作成する作成手段と、
を備えることを特徴とする。
【００１０】
請求項２に記載の発明は、
請求項１に記載のＩＤカード発行システムにおいて、
前記受付装置は、前記取得手段により取得された生体認証情報を暗号化する暗号化手段を備え、
前記出力手段は、前記暗号化手段により暗号化された暗号化生体認証情報を、前記申請書に出力し、
前記作成装置は、前記出力手段により申請書に出力された暗号化生体認証情報を解読する解読手段を備え、
前記判定手段は、前記解読手段により解読された生体認証情報と、前記抽出手段により抽出された生体認証情報と、が略一致するか否かを判定することを特徴とする。
【００１１】
請求項３に記載の発明は、
請求項１に記載のＩＤカード発行システムにおいて、
前記申請書には、当該申請書を提出した申請者を識別するための識別情報が記入されており、
当該ＩＤカード発行システムは、前記識別情報と、当該識別情報によって識別される申請者の生体認証情報と、を対応付けて記憶する記憶手段を備え、
前記作成装置は、前記記憶手段から、前記出力手段により生体認証情報が出力された申請書に記入された識別情報に対応する生体認証情報を検索する検索手段を備え、
前記判定手段は、前記出力手段により申請書に出力された生体認証情報と、前記抽出手段により抽出された生体認証情報と、前記検索手段により検索された生体認証情報と、が略一致するか否かを判定することを特徴とする。
【００１２】
請求項４に記載の発明は、
請求項３に記載のＩＤカード発行システムにおいて、
前記受付装置は、前記取得手段により取得された生体認証情報を暗号化する暗号化手段を備え、
前記出力手段は、前記暗号化手段により暗号化された暗号化生体認証情報を、前記申請書に出力し、
前記作成装置は、前記出力手段により申請書に出力された暗号化生体認証情報を解読する解読手段を備え、
前記判定手段は、前記解読手段により解読された生体認証情報と、前記抽出手段により抽出された生体認証情報と、前記検索手段により検索された生体認証情報と、が略一致するか否かを判定することを特徴とする。
【００１３】
請求項５に記載の発明は、
申請者からの申請書の提出によってＩＤカードの発行申請を受け付ける受付装置と、当該受付装置により受け付けられた申請者からのＩＤカードの発行申請に従って当該申請者のＩＤカードを作成する作成装置と、を備えるＩＤカード発行システムにおいて、
前記申請書には、当該申請書を提出した申請者を識別するための識別情報が記入されており、
当該ＩＤカード発行システムは、前記識別情報と、当該識別情報によって識別される申請者の生体認証情報と、を対応付けて記憶する記憶手段を備え、
前記受付装置は、
前記申請者の生体認証情報を取得する取得手段と、
前記取得手段により取得された生体認証情報を、前記申請書に出力する出力手段と、
を備え、
前記作成装置は、
前記記憶手段から、前記出力手段により生体認証情報が出力された申請書に記入された識別情報に対応する生体認証情報を検索する検索手段と、
前記出力手段により申請書に出力された生体認証情報と、前記検索手段により検索された生体認証情報と、が略一致するか否かを判定する判定手段と、
前記判定手段によって、前記出力手段により申請書に出力された生体認証情報と、前記検索手段により検索された生体認証情報と、が略一致すると判定された場合に、前記申請者のＩＤカードを作成する作成手段と、
を備えることを特徴とする。
【００１４】
請求項６に記載の発明は、
請求項５に記載のＩＤカード発行システムにおいて、
前記受付装置は、前記取得手段により取得された生体認証情報を暗号化する暗号化手段を備え、
前記出力手段は、前記暗号化手段により暗号化された暗号化生体認証情報を、前記申請書に出力し、
前記作成装置は、前記出力手段により申請書に出力された暗号化生体認証情報を解読する解読手段を備え、
前記判定手段は、前記解読手段により解読された生体認証情報と、前記検索手段により検索された生体認証情報と、が略一致するか否かを判定することを特徴とする。
【００１５】
請求項７に記載の発明は、
請求項２、４又は６に記載のＩＤカード発行システムにおいて、
前記暗号化手段は、所定の第１鍵を使用して、前記生体認証情報を暗号化し、
前記解読手段は、前記所定の第１鍵に対応する所定の第２鍵を使用して、前記暗号化生体認証情報を解読することを特徴とする。
【００１６】
請求項８に記載の発明は、
申請者からの申請書及び証明写真の提出によってＩＤカードの発行申請を受け付ける受付装置と、当該受付装置により受け付けられた申請者からのＩＤカードの発行申請に従って当該申請者のＩＤカードを作成する作成装置と、を備えるＩＤカード発行システムにおいて、
前記申請書には、当該申請書を提出した申請者を識別するための識別情報が記入されており、
当該ＩＤカード発行システムは、前記識別情報と、当該識別情報によって識別される申請者の生体認証情報と、を対応付けて記憶する記憶手段を備え、
前記作成装置は、
前記証明写真から生体認証情報を抽出する抽出手段と、
前記記憶手段から、前記申請書に記入された識別情報に対応する生体認証情報を検索する検索手段と、
前記抽出手段により抽出された生体認証情報と、前記検索手段により検索された生体認証情報と、が略一致するか否かを判定する判定手段と、
前記判定手段によって、前記抽出手段により抽出された生体認証情報と、前記検索手段により検索された生体認証情報と、が略一致すると判定された場合に、前記申請者のＩＤカードを作成する作成手段と、
を備えることを特徴とする。
【００１７】
請求項９に記載の発明は、
請求項１〜８の何れか一項に記載のＩＤカード発行システムにおいて、
前記作成手段により作成された前記申請者のＩＤカードには、当該申請者の生体認証情報を含むＩＤカード情報が記憶されており、
当該ＩＤカード発行システムは、前記作成装置により作成されたＩＤカードを前記申請者に交付する交付装置を備え、
前記交付装置は、
前記申請者の生体認証情報を取得する第２取得手段と、
前記作成手段により作成されたＩＤカードに記憶された生体認証情報を読み出す読出手段と、
前記第２取得手段により取得された生体認証情報と、前記読出手段により読み出された生体認証情報と、が略一致するか否かを判定する第２判定手段と、
前記第２判定手段による判定結果を出力する判定結果出力手段と、
を備えることを特徴とする。
【００１８】
請求項１０に記載の発明は、
請求項１〜９の何れか一項に記載のＩＤカード発行システムにおいて、
前記受付装置及び／又は前記作成装置がオフラインであることを特徴とする。
【００１９】
請求項１１に記載の発明は、
請求項１に記載のＩＤカード発行システムにおけるＩＤカード発行方法において、
前記取得手段が、前記申請者の生体認証情報を取得する取得ステップと、
前記出力手段が、前記取得ステップで取得された生体認証情報を、前記申請書に出力する出力ステップと、
前記抽出手段が、前記証明写真から生体認証情報を抽出する抽出ステップと、
前記判定手段が、前記出力ステップで申請書に出力された生体認証情報と、前記抽出ステップで抽出された生体認証情報と、が略一致するか否かを判定する判定ステップと、
前記判定ステップで、前記出力ステップで申請書に出力された生体認証情報と、前記抽出ステップで抽出された生体認証情報と、が略一致すると判定された場合に、前記作成手段が、前記申請者のＩＤカードを作成する作成ステップと、
を備えることを特徴とする。
【００２０】
請求項１２に記載の発明は、
請求項３に記載のＩＤカード発行システムにおけるＩＤカード発行方法において、
前記取得手段が、前記申請者の生体認証情報を取得する取得ステップと、
前記出力手段が、前記取得ステップで取得された生体認証情報を、前記申請書に出力する出力ステップと、
前記抽出手段が、前記証明写真から生体認証情報を抽出する抽出ステップと、
前記検索手段が、前記記憶手段から、前記出力ステップで生体認証情報が出力された申請書に記入された識別情報に対応する生体認証情報を検索する検索ステップと、
前記判定手段が、前記出力ステップで申請書に出力された生体認証情報と、前記抽出ステップで抽出された生体認証情報と、前記検索ステップで検索された生体認証情報と、が略一致するか否かを判定する判定ステップと、
前記判定ステップで、前記出力ステップで申請書に出力された生体認証情報と、前記抽出ステップで抽出された生体認証情報と、前記検索ステップで検索された生体認証情報と、が略一致すると判定された場合に、前記作成手段が、前記申請者のＩＤカードを作成する作成ステップと、
を備えることを特徴とする。
【００２１】
請求項１３に記載の発明は、
請求項５に記載のＩＤカード発行システムにおけるＩＤカード発行方法において、
前記取得手段が、前記申請者の生体認証情報を取得する取得ステップと、
前記出力手段が、前記取得ステップで取得された生体認証情報を、前記申請書に出力する出力ステップと、
前記検索手段が、前記記憶手段から、前記出力ステップで生体認証情報が出力された申請書に記入された識別情報に対応する生体認証情報を検索する検索ステップと、
前記判定手段が、前記出力ステップで申請書に出力された生体認証情報と、前記検索ステップで検索された生体認証情報と、が略一致するか否かを判定する判定ステップと、
前記判定ステップで、前記出力ステップで申請書に出力された生体認証情報と、前記検索ステップで検索された生体認証情報と、が略一致すると判定された場合に、前記作成手段が、前記申請者のＩＤカードを作成する作成ステップと、
を備えることを特徴とする。
【００２２】
請求項１４に記載の発明は、
請求項８に記載のＩＤカード発行システムにおけるＩＤカード発行方法において、
前記抽出手段が、前記証明写真から生体認証情報を抽出する抽出ステップと、
前記検索手段が、前記記憶手段から、前記申請書に記入された識別情報に対応する生体認証情報を検索する検索ステップと、
前記判定手段が、前記抽出ステップで抽出された生体認証情報と、前記検索ステップで検索された生体認証情報と、が略一致するか否かを判定する判定ステップと、
前記判定ステップで、前記抽出ステップで抽出された生体認証情報と、前記検索ステップで検索された生体認証情報と、が略一致すると判定された場合に、前記作成手段が、前記申請者のＩＤカードを作成する作成ステップと、
を備えることを特徴とする。
【発明の効果】
【００２３】
請求項１及び１１に記載の発明によれば、申請者から取得されて申請書に出力された生体認証情報と、証明写真から抽出された生体認証情報と、が略一致するか否かを判定し、略一致すると判定した場合に、当該申請者のＩＤカードを作成することができる。
したがって、ＩＤカードの発行申請をした申請者の生体認証情報が申請書に出力されるため、作成装置において、ＩＤカードの発行申請をした申請者の本人確認ができることとなって、低コストに本人確認を行うことができる。
また、生体認証情報を用いて本人確認を行うため、確実に本人確認を行うことができる。
また、作成装置において、証明写真から生体認証情報を抽出し、そして、当該抽出した生体認証情報と、受付装置において取得された生体認証情報と、が略一致するか否かを判定するため、受付装置から作成装置への証明写真の郵送時等に、証明写真がすり替えられてしまっても、確実に本人確認を行うことができる。
【００２４】
請求項２に記載の発明によれば、請求項１に記載の発明と同様の効果が得られることは無論のこと、申請者から取得された生体認証情報を暗号化した暗号化生体認証情報を、申請書に出力することができる。
したがって、申請書に出力された生体認証情報の漏洩を防止することができるため、申請書に出力された生体認証情報を高度なセキュリティー下で管理する必要がなくなって、生体認証情報の管理の簡易化及び低コスト化を図ることができる。
【００２５】
請求項３及び１２に記載の発明によれば、請求項１に記載の発明と同様の効果が得られることは無論のこと、申請者から取得されて申請書に出力された生体認証情報と、証明写真から抽出された生体認証情報と、記憶手段に予め記憶された申請者の過去の生体認証情報と、の３つの生体認証情報が略一致するか否かを判定するため、より一層確実に本人確認を行うことができる。
【００２６】
請求項４に記載の発明によれば、請求項３に記載の発明と同様の効果が得られることは無論のこと、申請者から取得された生体認証情報を暗号化した暗号化生体認証情報を、申請書に出力することができる。
したがって、申請書に出力された生体認証情報の漏洩を防止することができるため、申請書に出力された生体認証情報を高度なセキュリティー下で管理する必要がなくなって、生体認証情報の管理の簡易化及び低コスト化を図ることができる。
【００２７】
請求項５及び１３に記載の発明によれば、申請者から取得されて申請書に出力された生体認証情報と、記憶手段に予め記憶された申請者の過去の生体認証情報と、が略一致するか否かを判定し、略一致すると判定した場合に、当該申請者のＩＤカードを作成することができる。
したがって、ＩＤカードの発行申請をした申請者の生体認証情報が申請書に出力されるため、作成装置において、ＩＤカードの発行申請をした申請者の本人確認ができることとなって、低コストに本人確認を行うことができる。
また、生体認証情報を用いて本人確認を行うため、確実に本人確認を行うことができる。
【００２８】
請求項６に記載の発明によれば、請求項５に記載の発明と同様の効果が得られることは無論のこと、申請者から取得された生体認証情報を暗号化した暗号化生体認証情報を、申請書に出力することができる。
したがって、申請書に出力された生体認証情報の漏洩を防止することができるため、申請書に出力された生体認証情報を高度なセキュリティー下で管理する必要がなくなって、生体認証情報の管理の簡易化及び低コスト化を図ることができる。
【００２９】
請求項７に記載の発明によれば、請求項２、４又は６に記載の発明と同様の効果が得られることは無論のこと、生体認証情報を、所定の第１鍵を使用して暗号化し、当該暗号化された暗号化生体認証情報を、所定の第２鍵を使用して解読することができるため、利便性が高い。
【００３０】
請求項８及び１４に記載の発明によれば、証明写真から抽出された生体認証情報と、記憶手段に予め記憶された申請者の過去の生体認証情報と、が略一致するか否かを判定し、略一致すると判定した場合に、当該申請者のＩＤカードを作成することができる。
したがって、作成装置において、ＩＤカードの発行申請をした申請者の本人確認ができるため、低コストに本人確認を行うことができる。
また、生体認証情報を用いて本人確認を行うため、確実に本人確認を行うことができる。
また、作成装置において、証明写真から生体認証情報を抽出し、そして、当該抽出した生体認証情報と、作成装置において検索された生体認証情報と、が略一致するか否かを判定するため、受付装置から作成装置への証明写真の郵送時等に、証明写真がすり替えられてしまっても、確実に本人確認を行うことができる。
【００３１】
請求項９に記載の発明によれば、請求項１〜８の何れか一項に記載の発明と同様の効果が得られることは無論のこと、申請者から取得された生体認証情報と、作成されたＩＤカードに記憶された生体認証情報と、が略一致するか否かを判定し、当該判定結果を出力して、オペレータ等に報知することができる。
したがって、作成装置により作成されたＩＤカードを申請者（ＩＤカードを受け取りに来た者）に交付する前に、当該ＩＤカードを受け取りに来た者から取得した生体認証情報と、当該作成されたＩＤカードに記憶された生体認証情報と、が略一致するか否かを判定することができるため、申請者になりすました者にＩＤカードを交付してしまうことを防止することができる。
【００３２】
請求項１０に記載の発明によれば、請求項１〜９の何れか一項に記載の発明と同様の効果が得られることは無論のこと、受付装置及び／又は作成装置がオフラインであるため、セキュリティーに配慮した通信回線を配備する必要等がなくなって、低コストに本人を確認することができる。
【発明を実施するための最良の形態】
【００３３】
以下、図を参照して、本発明にかかるＩＤカード発行システム及びＩＤカード発行方法の最良の形態を詳細に説明する。なお、発明の範囲は、図示例に限定されない。
【００３４】
＜ＩＤカード発行システムの構成＞
まず、ＩＤカード発行システム１の構成について、図１〜３を参照して説明する。
ＩＤカード発行システム１は、例えば、図１に示すように、申請者からの申請書及び証明写真の提出によってＩＤカードの発行申請を受け付けるとともに、作成装置３により作成されたＩＤカードを当該申請者に交付する受付交付装置２と、受付交付装置２により受け付けられた申請者からのＩＤカードの発行申請に従って当該申請者のＩＤカードを作成する作成装置３と、を備えて構成される。
また、ＩＤカード発行システム１は、例えば、作成装置３と接続するサーバ装置４を備えている。
【００３５】
ＩＤカード発行システム１においては、例えば、受付交付装置２と作成装置３とが、異なる場所に設置されており、オンラインで繋がっていないこととする。
そして、申請者から提出された申請書及び証明写真は、例えば、受付交付装置２が設置された場所から作成装置３が設置された場所に郵送され、作成装置３により作成されたＩＤカードは、作成装置３が設置された場所から受付交付装置２が設置された場所に郵送されることとする。
【００３６】
申請者から提出された申請書には、例えば、申請者の証明写真が貼付されており、例えば、当該申請書を提出した申請者を識別するための識別情報としてのＩＤ番号や、当該申請者の個人情報（住所、氏名、国籍・本籍、生年月日など）などが記入されている。
また、申請書には、例えば、暗号化生体認証情報がプリント出力される「暗号化生体認証情報プリント欄」が設けられている。
【００３７】
サーバ装置４は、例えば、図１に示すように、個人情報データベース４１を有している。
個人情報データベース４１は、例えば、記憶手段として、申請者のＩＤ番号と、当該申請者の個人情報と、当該申請者の生体認証情報と、などを対応付けて記憶している。
ここで、生体認証情報とは、例えば、申請者の顔を構成する部位（目、鼻、口など）の位置や、当該部位同士の間隔などであり、具体的には、例えば、顔全体における目の位置や、目と鼻の間隔などである。
【００３８】
（受付交付装置の構成）
受付交付装置２は、例えば、図２に示すように、顔画像撮影部２１と、暗号化生体認証情報プリント部２２と、生体認証情報読出部２３と、表示部２４と、制御部２５と、などを備えて構成される。
【００３９】
顔画像撮影部２１は、例えば、制御部２５から入力される制御信号に従って、申請者の顔を撮影し、所定の処理を施して申請者の顔画像を生成し、そして、制御部２５に出力する。
ここで、顔画像撮影部２１により撮影されて生成された顔画像は、申請者の生体認証情報を取得するために使用される。
【００４０】
暗号化生体認証情報プリント部２２は、例えば、出力手段として、制御部２５から入力される制御信号に従って、暗号化プログラム２５３ｂを実行したＣＰＵ２５１（後述）により暗号化された暗号化生体認証情報（例えば、文字列）を、申請者が提出した申請書の「暗号化生体認証情報プリント欄」にプリント出力する。
【００４１】
生体認証情報読出部２３は、例えば、読出手段として、制御部２５から入力される制御信号に従って、作成装置３により作成されたＩＤカードに組み込まれた磁気テープやＩＣチップに記憶された生体認証情報を読み出して、制御部２５に出力する。
生体認証情報読出部２３としては、例えば、磁気読取装置やリーダ／ライタユニット（Ｒ／Ｗユニット）などが適用可能である。
【００４２】
表示部２４は、例えば、ＬＣＤ（Liquid Crystal Display）パネル等から構成され、制御部２５から入力される表示信号に従って所与の表示処理を行う。
具体的には、表示部２４は、例えば、判定結果出力手段として、第２判定プログラム２５３ｃを実行したＣＰＵ２５１（後述）による判定結果を出力する。
【００４３】
制御部２５は、例えば、図２に示すように、ＣＰＵ（Central Processing Unit）２５１と、ＲＡＭ（Random Access Memory）２５２と、ＲＯＭ（Read Only Memory）２５３と、などを備えている。
【００４４】
ＣＰＵ２５１は、ＲＯＭ２５３に記憶された受付交付装置２用の各種処理プログラムに従って各種の制御動作を行う。
【００４５】
ＲＡＭ２５２は、ＣＰＵ２５１によって実行される処理プログラムなどを展開するためのプログラム格納領域や、入力データや上記処理プログラムが実行される際に生じる処理結果などを格納するデータ格納領域などを備える。
【００４６】
ＲＯＭ２５３は、受付交付装置２で実行可能なシステムプログラム、当該システムプログラムで実行可能な各種処理プログラム、これら各種処理プログラムを実行する際に使用されるデータ、ＣＰＵ２５１によって演算処理された処理結果のデータなどを記憶する。なお、プログラムは、コンピュータが読み取り可能なプログラムコードの形でＲＯＭ２５３に記憶されている。
具体的には、ＲＯＭ２５３は、例えば、図２に示すように、取得プログラム２５３ａと、暗号化プログラム２５３ｂと、第２判定プログラム２５３ｃと、などを記憶している。
【００４７】
取得プログラム２５３ａは、例えば、顔画像撮影部２１により撮影されて生成された申請者の顔画像から、申請者の生体認証情報を取得する機能を、ＣＰＵ２５１に実現させる。
ここで、取得手段及び第２取得手段は、顔画像撮影部２１と、取得プログラム２５３ａを実行したＣＰＵ２５３ａと、から構成される。
【００４８】
暗号化プログラム２５３ａは、例えば、取得プログラム２５３ａを実行したＣＰＵ２５１により取得された生体認証情報を暗号化して、暗号化生体認証情報（例えば、文字列）を生成する機能を、ＣＰＵ２５１に実現させる。
具体的には、ＣＰＵ２５１は、例えば、所定の第１鍵（例えば、所定の公開鍵）を使用して、生体認証情報を暗号化する。
ＣＰＵ２５１は、かかる暗号化プログラム２５３ｂを実行することによって、暗号化手段として機能する。
【００４９】
第２判定プログラム２５３ｃは、例えば、取得プログラム２５３ａを実行したＣＰＵ２５１により取得された生体認証情報（具体的には、作成装置３により作成されたＩＤカードの交付時に申請者から取得された生体認証情報）と、生体認証情報読出部２３により読み出された生体認証情報（具体的には、作成装置３により作成されたＩＤカードに記憶された生体認証情報）と、が略一致するか否かを判定する機能を、ＣＰＵ２５１に実現させる。
ＣＰＵ２５１は、かかる第２判定プログラム２５３ｃを実行することによって、第２判定手段として機能する。
【００５０】
（作成装置の構成）
作成装置３は、例えば、図３に示すように、暗号化生体認証情報・ＩＤ番号読取部３１と、証明写真画像撮影部３２と、ＩＤカード作成部３３と、入力部３４と、制御部３５と、作成装置３などを備えて構成される。
【００５１】
暗号化生体認証情報・ＩＤ番号読取部３１は、例えば、制御部３５から入力される制御信号に従って、受付交付装置２が設置された場所から郵送された申請書の「暗号化生体認証情報プリント欄」にプリント出力された暗号化生体認証情報を読み取るとともに、当該申請書に記入されたＩＤ番号を読み取って、制御部３５に出力する。
暗号化生体認証情報・ＩＤ番号読取部３１としては、例えば、スキャナや光学式文字読取装置（ＯＣＲ装置）などが適用可能である。
【００５２】
証明写真画像撮影部３２は、例えば、制御部３５から入力される制御信号に従って、受付交付装置２が設置された場所から郵送された申請書に貼付された証明写真を撮影し、所定の処理を施して証明写真画像を生成し、そして、制御部３５に出力する。
ここで、証明写真画像撮影部３２により撮影されて生成された証明写真画像は、証明写真から生体認証情報を抽出するために使用される。また、当該証明写真画像は、ＩＤカードの表面にプリント出力される。
【００５３】
ＩＤカード作成部３３は、例えば、作成手段として、制御部３５から入力される制御信号に従って、第１判定プログラム３５３ｄを実行したＣＰＵ３５１（後述）により、ＩＤカードの発行申請の受付時に申請者から取得された生体認証情報と、ＩＤカードの発行申請の際に申請者から提出された証明写真から抽出された生体認証情報と、サーバ装置４が有する個人情報データベース４１に記憶された生体認証情報と、が略一致すると判定された場合に、申請者のＩＤカードを作成する。
具体的には、ＩＤカード作成部３３は、例えば、磁気書込装置やＲ／Ｗユニットなどから構成され、ＩＤカード情報を、ＩＤカードに組み込まれた磁気テープやＩＣチップに記憶させる。さらに、ＩＤカード作成部３３は、例えば、ＩＤカード情報や、証明写真画像撮影部３２により撮影されて生成された証明写真画像などを、ＩＤカードの表面にプリント出力する。
ここで、ＩＤカード情報とは、例えば、ＩＤ番号と、生体認証情報と、個人情報と、などを含む情報である。
【００５４】
入力部３４は、例えば、カーソルキー、文字／数字キー、各種機能キーなどから構成され、オペレータのキー操作に伴う押下信号を制御部３５に出力する。
具体的には、入力部３４は、例えば、サーバ装置４が有する個人情報データベース４１に記憶された個人情報を更新するために、或いは、個人情報データベース４１に新規の個人情報を記憶させるために、オペレータが申請書に記入されたＩＤ番号や個人情報を入力する際に操作される。
【００５５】
制御部３５は、例えば、ＣＰＵ３５１と、ＲＡＭ３５２と、ＲＯＭ３５３と、などを備えている。
【００５６】
ＣＰＵ３５１は、ＲＯＭ３５３に記憶された作成装置３用の各種処理プログラムに従って各種の制御動作を行う。
【００５７】
ＲＡＭ３５２は、ＣＰＵ３５１によって実行される処理プログラムなどを展開するためのプログラム格納領域や、入力データや上記処理プログラムが実行される際に生じる処理結果などを格納するデータ格納領域などを備える。
【００５８】
ＲＯＭ３５３は、作成装置３で実行可能なシステムプログラム、当該システムプログラムで実行可能な各種処理プログラム、これら各種処理プログラムを実行する際に使用されるデータ、ＣＰＵ３５１によって演算処理された処理結果のデータなどを記憶する。なお、プログラムは、コンピュータが読み取り可能なプログラムコードの形でＲＯＭ３５３に記憶されている。
具体的には、ＲＯＭ３５３は、例えば、図３に示すように、解読プログラム３５３ａと、抽出プログラム３５３ｂと、検索プログラム３５３ｃと、第１判定プログラム３５３ｄと、ＩＤカード作成制御プログラム３５３ｅと、などを記憶している。
【００５９】
解読プログラム３５３ａは、例えば、受付交付装置２の暗号化生体認証情報プリント部２２により申請書に出力されて、暗号化生体認証情報・ＩＤ番号読取部３１により読み取られた暗号化生体認証情報を解読する機能を、ＣＰＵ３５１に実現させる。
具体的には、ＣＰＵ３５１は、例えば、受付交付装置２の暗号化プログラム２５３ｂを実行したＣＰＵ２５１により使用された所定の第１鍵に対応する所定の第２鍵（例えば、所定の秘密鍵）を使用して、暗号化生体認証情報を解読する。
ＣＰＵ３５１は、かかる解読プログラム３５３ａを実行することによって、解読手段として機能する。
【００６０】
抽出プログラム３５３ｂは、例えば、証明写真画像撮影部３２により撮影されて生成された証明写真画像から生体認証情報を抽出する機能を、ＣＰＵ３５１に実現させる。
ここで、抽出手段は、証明写真画像撮影部３２と、抽出プログラム３５３ｂを実行したＣＰＵ３５１と、から構成される。
【００６１】
検索プログラム３５３ｃは、例えば、サーバ装置４が有する個人情報データベース４１から、受付交付装置２の暗号化生体認証情報プリント部２２により生体認証情報が出力された申請書に記入されたＩＤ番号に対応する生体認証情報を検索する機能を、ＣＰＵ３５１に実現させる。
ＣＰＵ３５１は、かかる検索プログラム３５３ｃを実行することによって、検索手段として機能する。
【００６２】
第１判定プログラム３５３ｄは、例えば、解読プログラム３５３ａを実行したＣＰＵ３５１により解読された生体認証情報（具体的には、ＩＤカードの発行申請の受付時に申請者から取得されて、申請書にプリント出力された生体認証情報）と、抽出プログラム３５３ｂを実行したＣＰＵ３５１により抽出された生体認証情報（具体的には、ＩＤカードの発行申請の際に申請者から提出された証明写真から抽出された生体認証情報）と、検索プログラム３５３ｃを実行したＣＰＵ３５１により検索された生体認証情報（具体的には、サーバ装置４が有する個人情報データベース４１に記憶された生体認証情報）と、が略一致するか否かを判定する機能を、ＣＰＵ３５１に実現させる。
ＣＰＵ３５１は、かかる第１判定プログラム３５３ｄを実行することによって、判定手段として機能する。
【００６３】
ＩＤカード作成制御プログラム３５３ｅは、例えば、ＩＤカード作成部３３に、ＩＤカードを作成させる機能を、ＣＰＵ３５１に実現させる。
具体的には、例えば、ＣＰＵ３５１は、まず、暗号化生体認証情報・ＩＤ番号読取部３１により読み取られたＩＤ番号に対応する個人情報を、サーバ装置４が有する個人情報データベース４１から取得する。
次いで、ＣＰＵ３５１は、例えば、ＩＤカード情報（当該読み取られたＩＤ番号と、暗号化生体認証情報・ＩＤ番号読取部３１により読み取られて解読プログラム３５３ａを実行したＣＰＵ３５１により解読された生体認証情報と、当該取得された個人情報と、などを含む情報）や、証明写真画像撮影部３２により撮影されて生成された証明写真画像などに基づいて、ＩＤカード作成部３３にＩＤカードを作成させる。
【００６４】
＜ＩＤカード発行方法＞
次に、ＩＤカード発行システム１によるＩＤカード発行方法について、図４〜６のフローチャートを参照して説明する。
ここで、実線で囲んだ処理は、受付交付装置２又は作成装置３が実行する処理であり、破線で囲んだ処理は、受付交付装置２又は作成装置３のオペレータが実行する処理である。
【００６５】
（受付処理）
まず、ＩＤカード発行システム１の受付交付装置２による、ＩＤカードの発行申請の受付に関する処理について、図４を参照して説明する。
【００６６】
まず、受付交付装置２において、申請者からの申請書の提出によってＩＤカードの発行申請を受け付けて（ステップＳ１０１）、受付交付装置２のオペレータが、申請者の顔と、申請書に貼付された証明写真の顔とを比較して、申請者の本人確認を行う（ステップＳ１０２）。
【００６７】
次いで、顔画像撮影部２１によって、申請者の顔画像が撮影されて生成されると（ステップＳ１０３）、受付交付装置２のＣＰＵ２５１は、取得プログラム２５３ａを実行して、ステップＳ１０３で撮影されて生成された申請者の顔画像から、申請者の生体認証情報を取得する（ステップＳ１０４）。
【００６８】
次いで、ＣＰＵ２５１は、暗号化プログラム２５３ｂを実行して、ステップＳ１０４で取得された生体認証情報を暗号化する（ステップＳ１０５）。
【００６９】
次いで、ＣＰＵ２５１は、暗号化生体認証情報プリント部２２に、ステップＳ１０５で暗号化された暗号化生体認証情報を、ステップＳ１０１で受け付けられた申請書の「暗号化認証情報プリント欄」にプリント出力させる（ステップＳ１０６）。
【００７０】
次いで、ステップＳ１０６で暗号化生体認証情報がプリント出力された申請書が、受付交付装置２が設置された場所から作成装置３が設置された場所に郵送されると（ステップＳ１０７）、本処理は終了する。
【００７１】
（作成処理）
次に、ＩＤカード発行システム１の作成装置３による、ＩＤカードの作成に関する処理について、図５を参照して説明する。
【００７２】
作成装置３において、受付処理（図４）のステップＳ１０７で郵送された申請書を受け付けて（ステップＳ１２１）、暗号化生体認証情報・ＩＤ番号読取部３１が、ステップＳ１２１で受け付けられた申請書から暗号化生体認証情報やＩＤ番号を読み取ると（ステップＳ１２２）、作成装置３のＣＰＵ３５１は、解読プログラム３５３ａを実行して、ステップＳ１２２で読み取られた暗号化生体認証情報を解読する（ステップＳ１２３）。
【００７３】
次いで、証明写真画像撮影部３２が、ステップＳ１２１で受け付けられた申請書に貼付された証明写真を撮影して証明写真画像を生成すると（ステップＳ１２４）、ＣＰＵ３５１は、抽出プログラム３５３ｂを実行して、ステップＳ１２４で撮影されて生成された証明写真画像から生体認証情報を抽出する（ステップＳ１２５）。
【００７４】
次いで、ＣＰＵ３５１は、検索プログラム３５３ｃを実行して、サーバ装置４が有する個人情報データベース４１から、ステップＳ１２２で読み取られたＩＤ番号に対応する生体認証情報を検索する（ステップＳ１２６）。
【００７５】
次いで、ＣＰＵ３５１は、第１判定プログラム３５３ｄを実行して、ステップＳ１２３で解読された生体認証情報と、ステップＳ１２５で抽出された生体認証情報と、ステップＳ１２６で検索された生体認証情報と、が略一致するか否かを判定する（ステップＳ１２７）。
【００７６】
ステップＳ１２７で、ステップＳ１２３で解読された生体認証情報と、ステップＳ１２５で抽出された生体認証情報と、ステップＳ１２６で検索された生体認証情報と、が略一致しないと判定すると（ステップＳ１２７；Ｎｏ）、ＣＰＵ３５１は、本処理を終了する。
【００７７】
一方、ステップＳ１２７で、ステップＳ１２３で解読された生体認証情報と、ステップＳ１２５で抽出された生体認証情報と、ステップＳ１２６で検索された生体認証情報と、が略一致すると判定すると（ステップＳ１２７；Ｙｅｓ）、ＣＰＵ３５１は、サーバ装置４が有する個人情報データベース４１に記憶された生体認証情報のうちのステップＳ１２２で読み取られたＩＤ番号に対応する生体認証情報を、ステップＳ１２３で解読された生体認証情報に更新する（ステップＳ１２８）。
【００７８】
次いで、ＣＰＵ３５１は、ＩＤカード作成制御プログラム３５３ｅを実行して、ステップＳ１２２で読み取られたＩＤ番号に対応する個人情報を、サーバ装置４が有する個人情報データベース４１から取得し（ステップＳ１２９）、ＩＤカード情報（ステップＳ１２２で読み取られたＩＤ番号と、ステップＳ１２３で解読された生体認証情報と、ステップＳ１２９で取得された個人情報と、などを含む情報）や、ステップＳ１２４で撮影されて生成された証明写真画像などに基づいて、ＩＤカード作成部３３にＩＤカードを作成させる（ステップＳ１３０）。
【００７９】
次いで、ステップＳ１３０で作成されたＩＤカードを、作成装置３のオペレータが検品して（ステップＳ１３１）、当該オペレータによる入力部３４の操作によって、ステップＳ１３０で作成されたＩＤカードを作成し直すよう指示されたか否かを判断する（ステップＳ１３２。）
【００８０】
ステップＳ１３２で、ＩＤカードを作成し直すよう指示されたと判断すると（ステップＳ１３２；Ｙｅｓ）、ＣＰＵ３５１は、ステップＳ１３０以降の処理を繰り返して行う。
【００８１】
一方、ステップＳ１３２で、ＣＰＵ３５１が、ＩＤカードを作成し直すよう指示されていないと判断し（ステップＳ１３２；Ｎｏ）、ステップＳ１３０で作成されたＩＤカードが、作成装置３が設置された場所から受付交付装置２が設置された場所に郵送されると（ステップＳ１３３）、本処理は終了する。
【００８２】
（交付処理）
次に、ＩＤカード発行システム１の受付交付装置２による、ＩＤカードの交付に関する処理について、図６を参照して説明する。
【００８３】
受付交付装置２において、作成処理（図５）のステップＳ１３３で郵送されたＩＤカードを受け付けて（ステップＳ１４１）、顔画像撮影部２１によって、申請者（作成されたＩＤカードを受け取りに来た者）の顔画像が撮影されて生成されると（ステップＳ１４２）、受付交付装置２のＣＰＵ２５１は、取得プログラム２５３ａを実行して、ステップＳ１４２で撮影されて生成された申請者の顔画像から、申請者の生体認証情報を取得する（ステップＳ１４３）。
【００８４】
次いで、生体認証情報読出部２３が、ステップＳ１４１で受け付けられたＩＤカードから生体認証情報を読み出すと（ステップ１４４）、ＣＰＵ２５１は、第２判定プログラム２５３ｃを実行して、ステップＳ１４３で取得された生体認証情報と、ステップＳ１４４で読み出された生体認証情報と、が略一致するか否かを判定する（ステップＳ１４５）。
【００８５】
ステップＳ１４５で、ステップＳ１４３で取得された生体認証情報と、ステップＳ１４４で読み出された生体認証情報と、が略一致しないと判定すると（ステップＳ１４５；Ｎｏ）、ＣＰＵ２５１は、その旨を、表示部２４に表示して（ステップＳ１４６）、受付交付装置２のオペレータに、例えば、申請者（作成されたＩＤカードを受け取りに来た者）の本人確認を行うよう促して、本処理を終了する。
【００８６】
一方、ステップＳ１４５で、ステップＳ１４３で取得された生体認証情報と、ステップＳ１４４で読み出された生体認証情報と、が略一致すると判定すると（ステップＳ１４５；Ｙｅｓ）、ＣＰＵ３５１は、その旨を、表示部２４に表示して（ステップＳ１４７）、受付交付装置２のオペレータに、例えば、申請者（作成されたＩＤカードを受け取りに来た者）にＩＤカードを交付するよう促す。
【００８７】
次いで、ステップＳ１４７での表示に従って、受付交付装置２のオペレータにより、申請者（作成されたＩＤカードを受け取りに来た者）にＩＤカードが交付されると（ステップＳ１４８）、本処理は終了する。
【００８８】
以上説明した本発明にかかるＩＤカード発行システム１によれば、申請者からの申請書及び証明写真の提出によってＩＤカードの発行申請を受け付けるとともに、作成装置３により作成されたＩＤカードを当該申請者に交付する受付交付装置２と、受付交付装置２により受け付けられた申請者からのＩＤカードの発行申請に従って当該申請者のＩＤカードを作成する作成装置３と、申請者のＩＤ番号と、当該申請者の生体認証情報と、などを対応付けて記憶する個人情報データベース４１を有するサーバ装置４と、を備えて構成されている。
【００８９】
そして、受付交付装置２は、顔画像撮影部２１及び取得プログラム２５３ａを実行したＣＰＵ２５１によって、申請者の生体認証情報を取得することができ、暗号化生体認証情報プリント部２２によって、取得プログラム２５３ａを実行したＣＰＵ２５１により取得された生体認証情報を、申請者が提出した申請書に出力することができる。
また、作成装置３は、証明写真画像撮影部３２及び抽出プログラム３５３ｂを実行したＣＰＵ３５１によって、申請者が提出した証明写真から生体認証情報を抽出することができ、検索プログラム３５３ｃを実行したＣＰＵ３５１によって、サーバ装置４が有する個人情報データベース４１から、暗号化生体認証情報プリント部２２により生体認証情報が出力された申請書に記入されたＩＤ番号に対応する生体認証情報を検索することができ、第１判定プログラム３５３ｄを実行したＣＰＵ３５１によって、暗号化生体認証情報プリント部２２により申請書に出力された生体認証情報と、抽出プログラム３５３ｂを実行したＣＰＵ３５１により抽出された生体認証情報と、検索プログラム３５３ｃを実行したＣＰＵ３５１により検索された生体認証情報と、が略一致するか否かを判定することができ、ＩＤカード作成部３３によって、第１判定プログラム３５３ｄを実行したＣＰＵ３５１によって、暗号化生体認証情報プリント部２２により申請書に出力された生体認証情報と、抽出プログラム３５３ｂを実行したＣＰＵ３５１により抽出された生体認証情報と、検索プログラム３５３ｃを実行したＣＰＵ３５１により検索された生体認証情報と、が略一致すると判定された場合に、申請者のＩＤカードを作成することができる。
したがって、ＩＤカードの発行申請をした申請者の生体認証情報が申請書に出力されるため、受付交付装置２と作成装置３とをオンラインで繋ぐことなく、作成装置３において、ＩＤカードの発行申請をした申請者の本人確認ができることとなって、低コストに本人確認を行うことができる。
また、生体認証情報を用いて本人確認を行うため、確実に本人確認を行うことができる。
また、申請者から取得されて申請書に出力された生体認証情報と、証明写真から抽出された生体認証情報と、サーバ装置４が有する個人情報データベース４１に予め記憶された申請者の過去の生体認証情報と、の３つの生体認証情報が略一致するか否かを判定するため、より一層確実に本人確認を行うことができる。
また、作成装置３において、証明写真から生体認証情報を抽出し、そして、当該抽出した生体認証情報と、受付交付装置２において取得された生体認証情報と、作成装置３において検索された生体認証情報と、が略一致するか否かを判定するため、受付交付装置２から作成装置３への証明写真の郵送時等に、証明写真がすり替えられてしまっても、確実に本人確認を行うことができる。
【００９０】
さらに、受付交付装置２は、取得プログラム２５３ａを実行したＣＰＵ２５１により取得された生体認証情報を暗号化することができる暗号化プログラム２５３ｂを実行したＣＰＵ２５１を備え、暗号化生体認証情報プリント部２２は、暗号化プログラム２５３ｂを実行したＣＰＵ２５１により暗号化された暗号化生体認証情報を、申請者が提出した申請書に出力することができ、作成装置３は、暗号化生体認証情報プリント部２２により申請書に出力された暗号化生体認証情報を解読することができる解読プログラム３５３ａを実行したＣＰＵ３５１を備え、第１判定プログラム３５３ｄを実行したＣＰＵ３５１は、解読プログラム３５３ａを実行したＣＰＵ３５１により解読された生体認証情報と、抽出プログラム３５３ｂを実行したＣＰＵ３５１により抽出された生体認証情報と、検索プログラム３５３ｃを実行したＣＰＵ３５１により検索された生体認証情報と、が略一致するか否かを判定することができる。
すなわち、申請者から取得された生体認証情報を暗号化した暗号化生体認証情報を、申請書に出力することができる。
したがって、申請書に出力された生体認証情報の漏洩を防止することができるため、申請書に出力された生体認証情報を高度なセキュリティー下で管理する必要がなくなって、生体認証情報の管理の簡易化及び低コスト化を図ることができる。
【００９１】
さらに、暗号化プログラム２５３ｂを実行したＣＰＵ２５１は、所定の第１鍵を使用して、生体認証情報を暗号化し、解読プログラム３５３ａを実行したＣＰＵ３５１は、所定の第１鍵に対応する所定の第２鍵を使用して、暗号化生体認証情報を解読することができるため、利便性が高い。
【００９２】
さらに、受付交付装置２は、生体認証情報読出部２３によって、作成装置３により作成されたＩＤカードに記憶された生体認証情報を読み出すことができ、第２判定プログラム２５３ｃを実行したＣＰＵ２５１によって、取得プログラム２５３ａを実行したＣＰＵ２５１により取得された生体認証情報と、生体認証情報読出部２３により読み出された生体認証情報と、が略一致するか否かを判定することができ、表示部２４によって、第２判定プログラム２５３ｃを実行したＣＰＵ２５１による判定結果を出力することができる。
すなわち、申請者から取得された生体認証情報と、作成装置３により作成されたＩＤカードに記憶された生体認証情報と、が略一致するか否かを判定し、当該判定結果を出力して、オペレータ等に報知することができる。
したがって、作成装置３により作成されたＩＤカードを申請者（ＩＤカードを受け取りに来た者）に交付する前に、当該ＩＤカードを受け取りに来た者から取得した生体認証情報と、当該作成されたＩＤカードに記憶された生体認証情報と、が略一致するか否かを判定することができるため、申請者になりすました者にＩＤカードを交付してしまうことを防止することができる。
【００９３】
なお、本発明は、上記した実施の形態のものに限るものではなく、その要旨を逸脱しない範囲で適宜変更可能である。
申請書にプリント出力される暗号化生体認証情報は、文字列でなく、例えば、バーコード等であってもよい。
また、申請書に暗号化生体認証情報をプリント出力するのではなく、例えば、申請書にパンチ穴を開ける等して暗号化生体認証情報を出力するようにしてもよい。
【００９４】
記憶手段としての個人情報データベース４１は、サーバ装置４でなく、ローカルＰＣ等が有していてもよい。この場合、サーバ装置４の処理効率の低下を防止することができる。
また、個人情報データベース４１は、作成装置３が有していてもよい。
【００９５】
ＩＤカードの発行申請の受付時に申請者から取得されて、申請書にプリント出力された生体認証情報と、ＩＤカードの発行申請の際に申請者から提出された証明写真から抽出された生体認証情報と、サーバ装置４が有する個人情報データベース４１に記憶された生体認証情報と、の３つの生体認証情報が一致するか否かを判定するようにしたが、例えば、この３つのうちの２つの生体認証情報が一致するか否かを判定するようにしてもよい。
すなわち、例えば、申請書にプリント出力された生体認証情報と、証明写真から抽出された生体認証情報と、が一致するか否かを判定するようにしてもよいし、申請書にプリント出力された生体認証情報と、サーバ装置４が有する個人情報データベース４１に記憶された生体認証情報と、が一致するか否かを判定するようにしてもよいし、証明写真から抽出された生体認証情報と、サーバ装置４が有する個人情報データベース４１に記憶された生体認証情報と、が一致するか否かを判定するようにしてもよい。
【００９６】
申請者からの申請書及び証明写真の提出によってＩＤカードの発行申請を受け付ける受付装置と、作成装置３により作成されたＩＤカードを当該申請者に交付する交付装置とは、受付交付装置２のように一体的に構成されていなくてもよく、別体であってもよい。
【図面の簡単な説明】
【００９７】
【図１】本発明にかかるＩＤカード発行システムの構成を示すブロック図である。
【図２】図１に示す受付交付装置の機能的構成を示すブロック図である。
【図３】図１に示す作成装置の機能的構成を示すブロック図である。
【図４】本発明にかかるＩＤカード発行システムの受付交付装置による、ＩＤカードの発行申請の受付に関する処理を説明するためのフローチャートである。
【図５】本発明にかかるＩＤカード発行システム１の作成装置３による、ＩＤカードの作成に関する処理を説明するためのフローチャートである。
【図６】本発明にかかるＩＤカード発行システムの受付交付装置による、ＩＤカードの交付に関する処理を説明するためのフローチャートである。
【符号の説明】
【００９８】
１  ＩＤカード発行システム
２  受付交付装置（受付装置、交付装置）
２１  顔画像撮影部（取得手段、第２取得手段）
２２  暗号化生体認証情報プリント部（出力手段）
２３  生体認証情報読出部（読出手段）
２４  表示部（判定結果出力手段）
２５１  ＣＰＵ（取得手段、第２取得手段、暗号化手段、第２判定手段）
２５３ａ  取得プログラム（取得手段、第２取得手段）
２５３ｂ  暗号化プログラム（暗号化手段）
２５３ｃ  第２判定プログラム（第２判定手段）
３  作成装置
３２  証明写真画像撮影部（抽出手段）
３３  ＩＤカード作成部（作成手段）
３５１  ＣＰＵ（解読手段、抽出手段、検索手段、判定手段）
３５３ａ  解読プログラム（解読手段）
３５３ｂ  抽出プログラム（抽出手段）
３５３ｃ  検索プログラム（検索手段）
３５３ｄ  第１判定プログラム（判定手段）
４１  個人情報データベース（記憶手段）
【図１】
2007293681.tif 000003
【図２】
2007293681.tif 000004
【図３】
2007293681.tif 000005
【図４】
2007293681.tif 000006
【図５】
2007293681.tif 000007
【図６】
2007293681.tif 000008